(57)【要約】      （修正有）【課題】油焚きと木質燃料焚きの機能を兼用するボイラーを提供する。【解決手段】現在使用中の炉筒煙管ボイラーの炉筒部分を改良し、新規に設けた木質燃焼装置３よりの高温燃焼ガスを、現施設の炉筒１５のバーナ側の反対側に接続する。また、木質燃料燃焼装置３は、ねじ式下込めストーカ方式４とし、燃料送り装置、下込めストーカー４、火格子７を設け、初期の乾留状態から１次燃焼後、炉壁よりの２次燃焼空気により燃焼させ、含水率５０％程度の木質燃料も燃焼容易化する。【選択図】図１
0003142707.tif 000002
【実用新案登録請求の範囲】
【請求項１】
木屑チップ等の木質燃料を燃料とする燃焼装置が他のボイラーと連結されており、前記燃焼装置が発生する燃焼ガスを他のボイラーに導入することを特徴とする木質燃料燃焼装置。
【請求項２】
前記他のボイラーが炉筒煙管ボイラーであることを特徴とする請求項１記載の木質燃料燃焼装置。
【請求項３】
他のボイラーと木質燃料燃焼装置と、これらを連結する切り替え弁とを有し、立ち上げ時には、他のボイラーと木質燃料燃焼装置間を遮断した状態で稼動させ、他のボイラーの出力が安定し、かつ木質燃料燃焼装置からの燃焼ガス温度が所定の温度以上になった時点で、切り替え弁を切り替え、他のボイラーと木質燃料燃焼装置間を接続し、木質燃料燃焼装置からの燃焼ガスを他のボイラーに流出させると同時に、他のボイラーの燃焼装置を停止させることを特徴とする請求項１または、請求項２に記載の木質燃料燃焼装置付ボイラー。
【考案の詳細な説明】
【技術分野】
【０００１】  本考案はボイラーの機能に対し、木質燃料焚きの燃焼装置を追加した、複合機能を持ったボイラーに関する。
【背景技術】
【０００２】  現在、油焚き温水ボイラーはボイラーメーカーの標準型機種があり、炉筒煙管ボイラーも標準化され、量産品としてコストダウンが計られ、標準ボイラーとして市場に出まわっている。【０００３】  一方、木質燃料焚きボイラーは、ヨーロッパ（ドイツ、スイス等）では、古くから標準化及び、量産化され、コストダウンも進んでいる。【０００４】  然しながら、わが国では、木質燃料焚きボイラーの標準化、量産化は未だ、実施されておらず、一部メーカでは、数年前より輸入ボイラーを日本向けに改造し、販売、現地据え付けをしている。この為、価格面では、輸入税、日本向け改造費、運搬費等が加算され、ヨーロッパ市場価格の２倍近くの値段となっている。
【実用新案文献１】
実用新案登録第３０９９２２４号広報
【考案の開示】
【考案が解決しようとする課題】
【０００５】  実用新案文献１の問題点（課題）について、今回提出中の実用新案の立場から検討すれば、下記の相違点および、問題点がある。
（文献１の課題）より
木屑および、バイオマスペレット等の固体燃料を燃焼炉にて燃焼し、さらに燃焼灰を連続的に排出し、自動運転を可能にする燃焼炉を提供するとある。
（解決手段）より
円筒型燃焼炉の外周より中心部にかけて炉底を下がり勾配とし、２次空気を炉底より適量に噴出する等により空気量の適正化をはかる。さらに、灰分は中央部の炉底から下の貯灰箱に落とす等、構造上のメリットは評価出来る。しかしながら、本構造および機構では、ペレットの如く小粒で比較的均一の燃料の場合は、自働化は可能と考えられるが、木屑チップのように水分が高く、形状、寸法が不揃いの場合、定常的自動化運転の維持は難しい事が予測される。【０００６】  バイオマス燃料の活用を開発の旗印として、木質燃料焚き標準ボイラーをヨーロッパ諸国なみに開発するのが早道であるが、その場合、量産化によるコストダウンと需要の開拓等、問題も多きため、取りあえず、現在、稼動中の油焚き炉筒煙管ボイラーを利用し、配管設備等の変更など、余分の経費を出来るだけ削減する事を目標にして、木質燃料燃焼装置を開発する事を課題として取り組む事にした。
【問題を解決するための手段】
【０００７】  上記課題を解決するため本考案者が鋭意開発検討した結果、燃焼炉の形式を過去に実績のあるねじ式下込めストーカ４方式とし、燃料送り装置２、下込めストーカ４、火格子７を設け、初期の乾留状態から１次燃焼後、、炉壁よりの２次燃焼空気により燃焼を完結させる等を制御する制御盤９により、湿量含水率５０％程度の木質燃料も容易に燃焼可能とすることを特徴とする木質燃料燃焼装置。
（１）木屑チップ等の木質燃料を燃料とする燃焼装置が他のボイラーと連結されており、前記燃焼炉から発生するガスを他のボイラーに導入することを特徴とする木質燃料燃焼装置。
【０００８】（２）前記他のボイラーが炉筒煙管ボイラーである事を特徴とする（１）記載の木質燃料燃焼装置。
【０００９】（３）他のボイラーと木質燃料燃焼装置３と、これらを連結する切り替え弁１２とを有し、立ち上げ時には、他のボイラーと、木質燃料燃焼装置３間を遮断した状態で稼働させ、他のボイラーの出力が安定し、かつ、木質燃料燃焼装置３からの燃焼ガス温度が所定の温度以上になった時点で、切り替え弁１２を作動し、他のボイラーと木質燃料燃焼装置３間を接続し、木質燃料燃焼装置３からの燃焼ガスを他のボイラーに流出させると同時に、他のボイラー燃焼装置を停止させる事を特徴とする（１）または（２）記載の木質燃料燃焼ボイラーである。
【考案の効果】
【００１０】  本考案によれば、立上げ時は、油焚き炉筒煙管ボイラーを利用、整定後、木質燃料燃焼装置に切り替える事にすれば、それぞれの持つ熱出力に対応し、実際に必要な熱負荷も２分の１位内に収まるので、性能上では問題ない。
【００１１】  前記の方式を採用すると、起動時は従来通り油焚き炉筒煙管ボイラーを利用するため、立上げ時間は従来と変わらず、昇温温度整定をベースに木質燃料燃焼装置に切り替えればよい。
【考案を実施するための最良の形態】
【００１２】  現在、温泉、農園、及び工場等で良く利用されているボイラーでは、標準型油焚き炉筒煙管ボイラー１３があり、暖房、給湯、および循環回路等の熱交換機群を内臓しており、便利で普及している。これに対して、今回開発しようとして検討したのが、図３に示す木質燃料燃焼装置である。本装置は木屑チップ等の含水率の比較的高い燃料も焼却可能な燃焼装置とし、発生する高温ガスを図２の炉筒煙管ボイラー導入する事にした。このため、図２の炉筒１５のオイルバーナ１４側と反対側の管板を改造し、木質燃料燃焼装置３よりの燃焼ガスを導入する接続口１７を設けた。【００１３】  一方、木質燃料燃焼装置３にて発生する燃焼ガスを炉筒煙管ボイラーに導入するにあたり、水分の高い木屑チップ等の木質燃料の燃焼にも対応出来るように、燃焼機は図１に示すように下込めストーカ４とし、火格子７を設けた。さらに、自動灰だし装置８も設けている。【００１４】  その他の燃焼機構として、図３に示す１次及び２次燃焼空気用給気ファン５＆６を設け、総合燃焼制御のための制御盤９を設けている。【００１５】木質燃料燃焼装置３の起動時は、図１に示すように、同燃焼ガスは切り替え弁１２により、排気管側１８に切り替え、炉筒煙管ボイラー整定時には同弁１２は炉筒煙管ボイラーの接続口１７側に切り替え、オイルバーナ１４は停止する。【００１６】  図４に示す木質燃料燃焼システムについて説明する。木屑チップ等の木質燃料は、木質燃料貯蔵タンク１に投入され、コンベアー２と木質燃料自働送り装置１９を経て、炉内の下込めストーカ４に投入される。【００１７】    図１の木質燃料燃焼装置による高温燃焼ガスは切り換え弁１２及び、接続口１７を経由して、炉筒内に入り、さらに煙管にてそれぞれ熱交換をした後、排気ガス管１８、および排気ガス集塵装置１０を経由して煙突に排出される。
【産業上の利用可能性】
【００１８】  現在、原油の高騰の折柄、化石燃料の代替燃料として木質燃料の活用は、わが国にとっても重要な命題であり、昇温を必要とする、温室及び工場の暖房、温泉の昇温等、一般産業にとってそのニーズは高いものである。【００１９】  現在稼働中の炉筒ボイラーを利用する利点の主な点は、暖房、給湯等の熱交換器群をボイラーに内臓している事である。之により、ボイラーを他の機種変更した場合、他の機種では、別途に配管およびその他の変更が必要となるため、余分の経費が必要となる。この点はメリットとしてもかなり高く、利用度は高いものである。
【図面の簡単な説明】
【００２０】
【図１】  油焚き炉筒煙管ボイラーと木質燃料燃焼装置を結合した図面である。
【図２】  油焚き炉筒煙管ボイラーの図面である。
【図３】  木質燃料燃焼装置の図面である。
【図４】  木質燃料燃焼ボイラーのシステム図である。
【符号の説明】
【００２１】    １    木質燃料貯蔵タンク
２    コンベアー
３    木質燃料燃焼装置
４    ねじ式下込めストーカ
５    １次燃焼空気用ファン
６    ２次燃焼空気用ファン
７    火格子
８    自動灰出し装置
９    制御盤
１０  排気ガス集塵装置
１１  排気ガス誘引ファン
１２  切り替え弁
１３  油焚き炉筒煙管ボイラー
１４  オイルバーナ
１５  炉筒
１６  熱交換器用伝熱管
１７  接続口
１８  排気ガス管
１９  木質燃料自働送り装置
【図１】
0003142707.tif 000003
【図２】
0003142707.tif 000004
【図３】
0003142707.tif 000005
【図４】
0003142707.tif 000006